【手続補正書】
【提出日】平成23年11月17日(2011.11.17)
【手続補正１】
【補正対象書類名】特許請求の範囲
【補正対象項目名】全文
【補正方法】変更
【補正の内容】
【特許請求の範囲】
【請求項１】
回転軸心（２４ａ）の左右両側に支持部材（２４ｂ，２４ｂ）を設け、該左右の支持部材（２４ｂ，２４ｂ）の左右間で且つ前記回転軸心（２４ａ）と平行となる方向に圃場の植物の残幹を掘り起こす帯板状のロータリ刃（２４ｃ）を掛け渡して掘起し体（２４）を構成し、
該掘起し体（２４）の上方に掘り起こした植物の残幹の上方への動きを規制するガイドカバー（４３）を設け、該ガイドカバー（４３）の左右両側に支持板（８５Ｌ，８５Ｒ）を設けて機枠（７０）を構成し、該機枠（７０）の上部に駆動部（８０）を設け、該駆動部（８０）の左右一側に駆動部（８０）の駆動力を前記掘起し体（２４）に伝動する伝動装置（２７）を着脱自在に設け、
前記左右の支持板（８５Ｌ，８５Ｒ）の後側で且つ左右外側に左右の転輪（３７，３７）を支持する左右の支持体（４１，４１）を設け、前記左右の支持板（８５Ｌ，８５Ｒ）の前側で且つ左右外側に機枠（７０）を支持する一対の左右支持脚（７１，７１）を回動自在に設けたことを特徴とする植物掘起し機。
【請求項２】
前記ガイドカバー（４３）の前端部に前記掘起し体（２４）よりも左右方向に幅広い残幹押え体（２９）を設け、前記ガイドカバー（４３）を、前記掘起し体（２４）で掘り起こした植物の残幹を後方に案内する上部カバー（４３ｂ）と該上部カバー（４３ｂ）を前後方向にスライド自在に支持するメインカバー（４３ａ）で構成し、前記上部カバー（４３ｂ）を前方部位のカバー（４３ｂａ）と後方部位のカバー（４３ｂｂ）で構成し、該前方部位のカバー（４３ｂａ）を機体の上下方向に回動自在に設けたことを特徴とする請求項１記載の植物掘起し機。
【請求項３】
前記掘起し体（２４）の上方に掘り起こした植物の残幹の搬送を補助する補助掘起し体（４４）を設け、該補助掘起し体（４４）の回転方向を掘起し体（２４）の回転方向とは逆方向とすると共に、該補助掘起し体（４４）の径を掘起し体（２４）よりも小径としたことを特徴とする請求項１又は２記載の植物掘起し機。
【手続補正２】
【補正対象書類名】明細書
【補正対象項目名】全文
【補正方法】変更
【補正の内容】
【発明の詳細な説明】
【発明の名称】植物掘起し機
【技術分野】
【０００１】
本発明は、たばこ収穫後の残幹や根など、圃場から植物を掘り起こす植物掘起し機に関する。
【背景技術】
【０００２】
たばこ収穫後の残幹と根を共に圃場から抜き取るたばこ抜根機として、実開平６−１３４０２号公報記載の考案が知られている。当該公報記載のたばこ抜根機はトラクタに連結された前後機枠の前部に左右一対のスクリュー刃体を回転自在に設け、その後方に設けた抜根したたばこの残幹と根を掻き込み回転体で掻き込み、さらに掻き込み回転体の後方にある粉砕用カッターで粉砕する構成からなる。
【特許文献１】実開平６−１３４０２号公報
【発明の開示】
【発明が解決しようとする課題】
【０００３】
上記実開平６−１３４０２号公報記載のたばこ抜根機は、多大な労力が必要なたばこ収穫後の残幹と根を機械力で圃場から掘り起こすことができるので、省力化技術として優れた農作業機である。
しかし、上記たばこ抜根機では左右一対のスクリュー刃体で残幹と根を圃場から掘り起こすため、石を掻き込むことがある。また、たばこ栽培箇所の圃場面の周囲に植生する雑草も巻き込む場合がある。そして、掻込み回転体には掻込んだ残幹や雑草などが詰まることもある。
【０００４】
その場合に、スクリュー刃体を交換したり、掻込み回転体に詰まった植物を取り除いたりなど、メンテナンスが必要になる。しかし、上記特許文献１に記載の構成では、左右一対のスクリュー刃体や掻込み回転体などは、機体に強固に固定されており、構成も複雑である。したがって、容易に交換もできないためメンテナンス性が低いという問題がある。
また、メンテナンス性が良好でないため、掘起し作業の作業性が低下する問題がある。
本発明の課題は、メンテナンス性に優れ、作業性の良い植物掘起し機を提供することである。
【課題を解決するための手段】
【０００５】
請求項１記載の発明は、回転軸心（２４ａ）の左右両側に支持部材（２４ｂ，２４ｂ）を設け、該左右の支持部材（２４ｂ，２４ｂ）の左右間で且つ前記回転軸心（２４ａ）と平行となる方向に圃場の植物の残幹を掘り起こす帯板状のロータリ刃（２４ｃ）を掛け渡して掘起し体（２４）を構成し、該掘起し体（２４）の上方に掘り起こした植物の残幹の上方への動きを規制するガイドカバー（４３）を設け、該ガイドカバー（４３）の左右両側に支持板（８５Ｌ，８５Ｒ）を設けて機枠（７０）を構成し、該機枠（７０）の上部に駆動部（８０）を設け、該駆動部（８０）の左右一側に駆動部（８０）の駆動力を前記掘起し体（２４）に伝動する伝動装置（２７）を着脱自在に設け、前記左右の支持板（８５Ｌ，８５Ｒ）の後側で且つ左右外側に左右の転輪（３７，３７）を支持する左右の支持体（４１，４１）を設け、前記左右の支持板（８５Ｌ，８５Ｒ）の前側で且つ左右外側に機枠（７０）を支持する一対の左右支持脚（７１，７１）を回動自在に設けたことを特徴とする植物掘起し機である。
【０００６】
請求項２記載の発明は、前記ガイドカバー（４３）の前端部に前記掘起し体（２４）よりも左右方向に幅広い残幹押え体（２９）を設け、前記ガイドカバー（４３）を、前記掘起し体（２４）で掘り起こした植物の残幹を後方に案内する上部カバー（４３ｂ）と該上部カバー（４３ｂ）を前後方向にスライド自在に支持するメインカバー（４３ａ）で構成し、前記上部カバー（４３ｂ）を前方部位のカバー（４３ｂａ）と後方部位のカバー（４３ｂｂ）で構成し、該前方部位のカバー（４３ｂａ）を機体の上下方向に回動自在に設けたことを特徴とする請求項１記載の植物掘起し機である。
【０００７】
請求項３記載の発明は、前記掘起し体（２４）の上方に掘り起こした植物の残幹の搬送を補助する補助掘起し体（４４）を設け、該補助掘起し体（４４）の回転方向を掘起し体（２４）の回転方向とは逆方向とすると共に、該補助掘起し体（４４）の径を掘起し体（２４）よりも小径としたことを特徴とする請求項１又は２記載の植物掘起し機である。
【発明の効果】
【０００８】
請求項１記載の発明によれば、伝動装置（２７）を駆動部（８０）に着脱自在に装着したことにより、伝動装置（２７）や掘起し体（２４）の取り外しを容易に行うことができるので、交換作業や清掃作業が容易に行えるため、植物掘起し機から容易に取り外せないものに比べてメンテナンス性が向上する。
【０００９】
また、左右の支持板（８５Ｌ、８５Ｒ）に機枠（７０）を支持する左右の支持脚（７１，７１）を設けると共に、機体後部の左右の支持体（４１、４１）に左右転輪（３７、３７）を設けたことにより、左右の支持脚（７１、７１）と左右転輪（３７、３７）により機枠（７０）を支持することができるので、植物掘起し機を地面に載置した際に前傾し過ぎることが防止され、メンテナンス性が向上する。
【００１０】
請求項２記載の発明によれば、上記請求項１記載の効果に加えて、ガイドカバー（４３）の前端部に掘起し体（２４）よりも左右方向に幅広い残幹押え体（２９）を設けたことにより、植物の残幹を掘起し装置（２４）が確実に掘り起こすことができるので、作業能率が向上する。
そして、上部カバー（４３ｂ）をメインカバー（４３ａ）に前後方向にスライド自在に設けたことにより、植物の掘り起こし作業時には上部カバー（４３ｂ）を前方にスライドさせて植物を残幹押え体（２９）で押し倒すことができるので、植物の残幹が掘起し装置（２４）で確実に掘り起こされると共に、非作業時には上部カバー（４３ｂ）をメインカバー（４３ａ）に収納することができるので、植物掘起し機の機体の前後幅がコンパクトになるため、植物掘起し機の収納や運搬が容易になる。
また、上部カバー（４３ｂ）を前方にスライドさせた状態であっても、上部カバー（４３ｂ）を構成する前方部位のカバー（４３ｂａ）を下方に折り畳むことにより、植物掘起し機の機体の前後幅がコンパクトになるため、植物掘起し機の収納や運搬が容易になる。
【００１１】
さらに、前方部位のカバー（４３ｂａ）を下方に折り畳むと、前方部位のカバー（４３ｂａ）が接地して左右の支持脚（７１、７１）と共に支持脚としての効果を奏するため、左右の支持脚（７１、７１）と左右転輪（３７、３７）と折り畳んだ前方部位のカバー（４３ｂａ）とにより機枠（７０）を支持することができるので、左右の支持板（８５Ｌ，８５Ｒ）や伝動装置（２７）を外しても機枠（７０）の姿勢が変わりにくく、また機体が前傾し過ぎることを防止できるので、掘起し体（２４）の取り外し、取り付けの作業が安全且つ容易に行えるので、メンテナンス性が向上する。
【００１２】
請求項３記載の発明によれば、上記請求項１または２記載の効果に加えて、掘起し体（２４）の上方に掘り起こした植物の搬送を補助する補助掘起し体（４４）を設け、この補助掘起し体（４４）の回転方向を掘起し体（２４）の回転方向と逆方向としたことにより、掘り起こした植物の残幹を掘起し体（２４）と補助掘起し体（４４）とで確実に後方に排出することができるので、植物の残幹が掘起し体（２４）とガイドカバー（４３）の間に詰まって停止することが防止され、作業能率が向上する。
また、補助掘起し体（４４）の径を掘起し回転体（２４）の径よりも小径に構成したことにより、コンパクトな構成とすることができる。
【発明を実施するための最良の形態】
【００１３】
以下、図面に基づいてこの発明の実施の形態を説明する。なお、本明細書では農業用トラクタを走行車両とする、たばこの残幹と根を抜根するたばこ抜根機を例に説明する。またトラクタの前進する方向を前、後退する方向を後といい、前進方向に向かって左側と右側をそれぞれ左右という。
【００１４】
本発明の一実施形態によるたばこ抜根機の側面図を図１に示し、正面図を図２に示す。また、図３には、図１のたばこ抜根機の作業機付近の背面図を示し、図４には、図１のたばこ抜根機の作業機付近の側面図を示し、図５には、図１のたばこ抜根機の作業機付近の平面図を示す。
【００１５】
たばこ抜根機は、その機体の側方前後に、前輪２と後輪３を設け、前後輪２、３間を主フレーム４及び伝動ケース６で連結している。伝動ケース６は図示しないクラッチハウジングや、フロント、ミッド、リヤミッションケース等からなり、ボルト、ナット等の締付具を介して組付けた前後方向の枠体であって、主フレーム４の上方のエンジン（図示せず）廻りは開閉自在のボンネット７で覆われ、ボンネット７の後部にはハンドル８とハンドルコラム１０などが取り付けられる。
【００１６】
左右の後輪３の間の伝動ケース６の上方には運転席１１が設けられ、左右後輪３の上方から前方部と内側方はフェンダー１２で覆われ、作業機昇降用のレバー（図示せず）が運転席１１の右側方に臨み、運転席１１の左側には走行変速用レバー１３が配置されている。上記構成を本実施例では走行車両ということにする。
【００１７】
主フレーム４の前方にはたばこの残根が走行車両に接触するのを防止するためのバンパー１５と該バンパー１５を上下動させる平行リンク機構１６と該平行リンク機構１６を上下回動させる昇降シリンダ１７が設けられている。
【００１８】
前記バンパー１５は、走行車両の旋回中は昇降シリンダ１７で上昇位置に保持することにより、走行車両の旋回動作を妨げないので、作業能率を向上させることができる。
【００１９】
伝動ケース６の後方には図示しない油圧シリンダを内部に配置した油圧シリンダケースを設け、該油圧シリンダケースの左右両側には一対のリフトアーム（図示省略）を回動自由に枢支している。前記の油圧シリンダ等によりロータリ式の掘起し体２４が昇降自在及び左右にローリング自在に連結されている。
掘起し体２４を含む前記走行車両の後方に連結される農作業用の装置を本実施例では作業機ということにする。
【００２０】
エンジンからの動力が伝動ケース６から後方に向けて突き出されるＰＴＯ軸２５からユニバーサルジョイント２３を介して受け軸８０ａに伝達され、受け軸８０ａにはベベルギア（図示せず）が軸着されており、伝動軸８１に軸着したベベルギアと噛み合わせて動力が伝動ケース８０（図３）内の伝動軸８１に伝達され、更に伝動軸８１からチェンケース２７内の従動スプロケット９０からチェン９１を介して駆動スプロケット９２に動力伝達され回転駆動する構成を掘起し体２４は備えている。なお、従動スプロケット９０、チェン９１、駆動スプロケット９２などをまとめてチェン伝動機構と言う。
また、伝動ケース８０はその左右両側に連結した連結フレーム２２を介してトップリンク２０に連結している。
【００２１】
図３から図５に示すように、ロータリ式掘起し体２４は走行車両の進行方向に対して左右方向姿勢の回転軸心２４ａ（図３の一点鎖線２４ａ）と、該回転軸心２４ａを中心として回転する左右の支持部材２４ｂを設け、該左右の支持部材２４ｂの間に掛け渡し、前記バンパー１５で押し倒した植物を、その根から掘り起こす帯板（ロータリ刃）２４ｃを取付プレート２４ｆにボルト等により取り付けている。具体的には図３に示すように、左右の支持部材２４ｂに取付プレート２４ｆが各々３つずつ溶着されており、左右の各取付プレート２４ｆ間に帯板２４ｃをそれぞれボルト等で固定して取り付けている。
【００２２】
掘起し体２４の支持部材２４ｂよりも大径の案内プレート２４ｄと、掘り起し体２４の左右方向の中間部には補強板２４ｅを配置する。また前記掘起し体２４の左右方向の幅よりも幅広な、残幹押さえ体２９を有するガイドカバー４３をロータリ式掘起し体２４の上方且つ伝動ケース８０の下部に取り付ける。
機体右側に設置されたチェンケース２７の反対側の機体左側には軸受部材として左側板８５Ｌが配置され、チェンケース２７にも右側板８５Ｒが配置されている。これら左右側板８５Ｌ、８５Ｒはボルト８３により外側から伝動ケース８０やチェンケース２７に固定されている。図３に示すように、右側の側板８５Ｒはチェンケース２７に固定されており、左側の側板８５Ｌは伝動ケース８０とメインカバー４３ａの側面に固定されている。
【００２３】
また、掘起し体２４の支持部側のブラケット３６は伝動ケース８０の中央部に設けており、作業車両のトップリンク２０に接続するためのものである。
【００２４】
掘起し体２４の回転軸心２４ａは、チェンケース２７内のチェン伝動機構により駆動される駆動軸の回転中心であり、安全性を考慮して回転軸カバー２４ａａにより囲まれている。そして、チェンケース２７は左右方向に配置された伝動ケース８０と一体であり、駆動用チェン９１には伝動ケース６からの動力が伝動ケース８０内の伝動軸８１から伝達される構成であり、掘起し体２４は図４の矢印Ａ方向に回転する。掘起し体２４の回転方向は車輪２、３の前進回転方向とは逆方向であり、この方向に掘起し体２４が回転することで、車輪２、３の前進回転方向と同じ方向に回転する場合に比べて、より確実に残幹と根を掘り起こすことができる。また、掘起し体２４の回転により、その帯板２４ｃでバンパー１５で押し倒された残幹と根を圃場から掘り起こすことができる。
【００２５】
また、残幹押さえ体２９はその前端縁部で残幹を再び押し倒すと共に掘起し体２４で掘り起こされた残幹と根が作業機の上方側に巻き込まれないようにするためのものであり、掘起し体２４の上部に取り付けられている。
【００２６】
更に、機体の左右幅方向には作業姿勢を安定させると共に、たばこ抜根機が圃場に接触して傷付くのを防止するための一対の転輪３７、３７を設けており、転輪３７、３７の回転軸３７ａ、３７ａはそれぞれ支持フレーム４１、４１により支持され、ボス８７などの取付部材によりガイドカバー４３に溶接またはボルト等の固定部材により取り付けられている。そして、チェンケース２７と左右側板８５Ｌ、８５Ｒよりも前方にガイドカバー４３等を支持するためのスタンド７１を設けている。
【００２７】
そして、図３から図５に示すように、ガイドカバー４３は、正面視コの字型（門型）のメインカバー４３ａとメインカバー４３ａから前方に突出した突出部を有する上部カバー４３ｂなどからなる構成である。
【００２８】
上部カバー４３ｂの後方部位はメインカバー４３ａ内に収納されている。この上部カバー４３ｂは、たばこの葉を収穫した根部が上方に上がらないように規制し、機体後方に排出するためのものである。根部が機体後方に正常に排出されないと、伝動ケース８０等に接触して傷をつけてしまうことがあると共に、掘起し体２４と伝動ケース８０等との間に根部が詰まって作業を中断しなければならない場合もある。したがって、上部カバー４３ｂにより根部を押し倒して、このような不具合を防止する。
【００２９】
ここで、上部カバー４３ｂとメインカバー４３ａの作用の違いについて説明する。
上部カバー４３ｂは、出し入れ及び上下回動が可能な前方部位の上部カバー４３ｂａを取り付けるため、また根部を掘起し体２４によって機体後方に排出するための通路となる。一方、門型のメインカバー４３ａは、上部カバー４３ｂを内部に収納しているため、上記のような上部カバー４３ｂによる根部の上方移動規制の効果はなく、左右側板８５Ｌ，８５Ｒやチェーンケース２７、伝動ケース８０などを取り付けるための部材となっている。
【００３０】
そして、本実施形態のたばこ抜根機によれば、ガイドカバー４３と左右転輪３７、３７を支持する支持フレーム４１、４１は一体化してフレーム７０を構成している。左右転輪の支持フレーム４１，４１の取り付け構成としては、溶接による方法でも、ボルト等の固定部材で固定する方式でも問題ない。また左右側板８５Ｌ，８５Ｒはボルト８３で固定しているが、この方法に限らない。
【００３１】
フレーム７０の上部には、エンジンからの動力を受ける伝動軸８１を内部に有する伝動ケース８０を装着している。更に、伝動ケース８０の右側に伝動軸８１の動力を伝動するチェンケース２７と左右側板８５Ｌ、８５Ｒとをボルト８３等の固定部材で連結、装備している。なお、チェンケース２７は右側の側板８５Ｒに設けた例を示しているが、左側の側板８５Ｌに設けても良いし、左右両側の側板８５Ｌ、８５Ｒに設けても良い。
【００３２】
更に伝動チェンケース２７と左側の側板８５Ｌとの間に伝動軸８１の動力により回転する掘起し体２４を装着しており、また、左右側方で且つ伝動チェンケース２７と左右側板８５Ｌ、８５Ｒよりも前側にフレーム７０を支持するための一対のスタンド７１を装着している。
【００３３】
このように、フレーム７０の左右側方に伝動チェンケース２７と左右側板８５Ｌ、８５Ｒとをボルト８３などにより装着することによって、ボルト８３を外して伝動チェンケース２７と左右側板８５Ｌ、８５Ｒを外すことにより、伝動チェンケース２７をフレーム７０から容易に取り外すことができると共に、掘起し体２４をチェンケース２７から容易に取り外すことができる。すなわち、図３に示すように、側板８５Ｒはチェンケース２７の外側方に取り付けられており、側板８５Ｒを取り外すとチェンケース２７の内部が現れるため、他の部材を外すことなくチェンケース２７の内部の整備等を行うことができる。また、掘起し体２４の回転軸２４ａはチェンケース２７内のスプロケット９２に軸着されているが、側板８５Ｌは軸カバー２４ａａのベアリングに軸着されている。この軸カバー２４ａａは側板８５Ｌに固定されているため、側板８５Ｌを外し、掘起し体２４の回転軸２４ａをスプロケット９２から引き抜くと、掘り起し体２４を取り外すことができる。
【００３４】
また、掘起し体２４やチェンケース２７を取り外さなくても、掘起し体２４の回転軸２４ａやチェンケース２７の内部のメンテナンスや清掃作業を行うこともできる。したがって、交換作業や清掃作業が簡易に行えるので、容易に取り外せないものに比べてメンテナンス性が向上する。
【００３５】
また、左右の転輪３７、３７と左右のスタンド７１、７１が設けられていることによって、伝動チェンケース２７と左右側板８５Ｌ、８５Ｒとをフレーム７０から外しても、左右転輪３７、３７とスタンド７１、７１がフレーム７０を支持するため、メンテナンス性が向上する。すなわち、掘起し体２４の取り外し、取り付けの作業が安全、容易にできる。また、スタンド７１、７１がないと、たばこ抜根機が前傾し過ぎて作業が行いにくいので、スタンド７１、７１を設置することで作業能率の向上にもなる。
【００３６】
そして、図４に示すように、上部カバー４３ｂは前方部位のカバー４３ｂａと後方部位のカバー４３ｂｂが支点Ｅで分割可能な構成とし、上部カバー４３ｂの前方部位のカバー４３ｂａを矢印Ｆ方向に支点Ｅを回動中心として回動可能な構成とし、前方部位のカバー４３ｂａを下方へ折り畳み可能としても良い。前方部位のカバー４３ｂａと後方部位のカバー４３ｂｂはボルトなどの固定部材で連結すればよい。
【００３７】
非作業時には上部カバー４３ｂの前方部位のカバー４３ｂａを下方に折り畳むことで（一点鎖線で示す位置になる）、たばこ抜根機の機体の前後幅がコンパクトになるため、たばこ抜根機の収納や運搬が容易になる。前方部位のカバー４３ｂａを下方に折り畳むと、前方部位のカバー４３ｂａが接地して、スタンド７１、７１に加えて更に支持脚代わりとなり、左右転輪３７、３７と折り畳んだ前方部位のカバー４３ｂａによりフレーム７０を支持することができる。
【００３８】
掘起し体２４やチェンケース２７を着脱する際、前方部位のカバー４３ｂａを下方へ倒すことで、例えばスタンド７１を省略しても、フレーム７０を支える仮のスタンドとして使用できる。そして、スタンド７１を省略すれば、たばこ抜根機のコストダウンを図ることができる。また、たばこ抜根機の収納、運搬時にも前方部位のカバー４３ｂａを下方へ下げることでたばこ抜根機の前後幅を短くすることができるので、たばこ抜根機がコンパクトな構成になる。更に別にスタンドを設置する場合に比べてコストも削減できる。
【００３９】
または、上部カバー４３ｂとメインカバー４３ａを分割可能な構成として、同様に上部カバー４３ｂを下方へ折り畳み可能としても良い。この場合、上部カバー４３ｂは側面視でメインカバー４３ａとオーバーラップせず、メインカバー４３ａ内に収納される構成ではない。そして、図４の支点Ｅが上部カバー４３ｂとメインカバー４３ａの接続部となる。
【００４０】
図６には、本発明の他の実施形態によるたばこ抜根機の上部カバー４３ｂが前後に移動する場合の作業機付近の側面図を示す。
また、図６に示すように、残幹押さえ体２９付の上部カバー４３ｂをメインカバー４３ａ方向へスライドしてメインカバー４３ａ内に収納可能な構成としても良い。
【００４１】
メインカバー４３ａの左右内側に上部カバー４３ｂを支えるための溝（図示せず）を前後方向に設けて上部カバー４３ｂをその溝に設置すると、上部カバー４３ｂが溝内を矢印Ｗに示すように、前後方向にスライド可能となる。そして、残幹押さえ体２９を持ち、前後に押したり引いたりすることで、容易に上部カバー４３ｂの前後位置を変更できる。
【００４２】
例えば、作業時には上部カバー４３ｂを前方に出して（Ｇ位置）、たばこの葉の収穫した根部の上端部を押し倒し、かつ上方に上がらないように規制する一方、非作業時には後方に収納して（Ｉ位置）、後輪３と掘起し体２４間（上部カバー４３ｂがＧ位置にある部分）を広くすると、掘起し体２４やチェンケース２７を着脱する際、上部カバー４３ｂが邪魔にならない。
【００４３】
なお、図６によれば、上部カバー４３ｂがメインカバー４３ａ内から後方に突き出ているが、左右転輪３７の範囲内（破線Ｊ）に収まるようにすれば、上部カバー４３ｂの突出部分が何かに干渉するわけではないので問題はない。また、上部カバー４３ｂとメインカバー４３ａの大きさにより、メインカバー４３ａ内に収まる上部カバー４３ｂの長さは適宜変更可能であり、例えば上部カバー４３ｂ全体がメインカバー４３ａ内に収まるようにしても良い。
【００４４】
また、図７（ａ）には、本発明の他の実施形態によるたばこ抜根機の掘起し体２４付近の背面図を示し、図７（ｂ）には、図７（ａ）の掘起し体２４の概略斜視図を示す。図７には、本発明の他の実施形態によるたばこ抜根機の掘起し体２４の伝動軸８１の動力を伝動するチェンケース２７を左右両側に設けた場合の例を示している。
【００４５】
掘起し体２４の回転軸２４ａを無くして、掘起し体２４の左右両側方から共に駆動する構成としても良い。掘起し体２４の両側に、チェンケース２７からの動力を伝動する伝動軸３０Ｒ、３０Ｌをスプロケット９２と同軸上に設けることで、伝動軸３０Ｒ、３０Ｌが回転し、掘起し体２４の帯板２４ｃが回転駆動する構成である。
【００４６】
チェンケース２７を掘起し体２４の左右一方のみに設けた片側駆動の場合は、回転軸２４ａに大きな抵抗がかかるとチェンケース２７のある片側付近に負荷が掛かって掘起し体２４の回転軸２４ａがねじれることがある。しかし、掘起し体２４の回転軸２４ａを省略して掘起し体２４の両側から駆動することで、掘起し体２４の左右どちらか一方に負荷が掛かることを防ぐことができ、このような不具合を防止できる。また、掘起し体２４の回転軸２４ａがある場合は、回転軸２４ａが泥を押したり、回転軸２４ａに石等が挟まることがある。このような場合は回転軸２４ａのメンテナンスが必要になるが、回転軸２４ａを省略することで、メンテナンスが不要となる。
【００４７】
図８及び図９には、本構成の他の実施形態によるたばこ抜根機の作業機付近の背面図及び側面図を示す。
図８に示すように、左右のメインカバー側板４３ａｂ、４３ａｂをカバー角パイプ４３ａａの左右側面下部に一体的に取り付ける構成にすることにより簡易な構成となり、コスト削減が図れる。また、カバー４３ａの上部に左右支持プレート８２、８２を取り付け、該左右支持プレート８２，８２に伝動ケース８０を機体の前後方向に回動自在に取り付け、伝動ケース８０の左右一側に側板８５Ｌ（もしくは８５Ｒ）を取り付けると共に、左右他側にチェンケース２７を取り付ける。また、左右メインカバー側板４３ａｂ、４３ａｂにそれぞれ左右スタンド取付板７２、７２を取り付け、該左右スタンド取付板７２、７２に左右スタンド７１、７１を取り付け、左右メインカバー側板４３ａｂ、４３ａｂの後部に左右補強部材８８、８８を取り付けると共に、該左右補強板８８、８８の後部に左右転輪３７、３７の左右支持フレーム４１、４１を支持する左右ボス８７，８７を取り付けることによって、側板８５Ｌ（もしくは８５Ｒ）やチェンケース２７を外しても、スタンド７１と転輪３７、３７とによりたばこ抜根機を支持できるので、チェンケース２７や掘起し体２４の脱着作業が容易にでき、メンテナンス性が向上する。
【００４８】
また、図４や図９に示すように、スタンド７１と転輪３７は側面視で側板８５Ｌ、８５Ｒやチェンケース２７と干渉しないので、チェンケース２７や掘起し体２４を脱着する作業の邪魔にならない。したがって、チェンケース２７や掘起し体２４の脱着作業が容易にできるので、メンテナンス性が向上する。
【００４９】
また、図８に示すように、チェンケース２７の従動スプロケット９２及び駆動スプロケット９０の機体外側にベアリング９３、９３を取り付け、該駆動スプロケット９０の機体内側に軸９８Ｒを取り付け、側板８５Ｌの下部にベアリング９７を設け、該ベアリング９７に軸９８Ｌを取り付け、左右軸９８Ｌ、９８Ｒを掘起し体２４の軸心２４ａに挿入すると共に、ベアリング９３，９３の外側に蓋体９４、９４をかぶせる構成としても良い。
【００５０】
上記構成により、左右軸９８Ｌ，９８Ｒを差し込むだけで掘起し体２４を取り付けられると共に、掘起し体２４を取り外すときも左右軸９８Ｌ，９８Ｒを取り出すだけで容易に取り外すことができるので、作業者の労力が軽減されると共に、メンテナンス性が向上する。
【００５１】
また、ベアリング９３，９３の外側に蓋体９４、９４をかぶせることによって、チェンケース２７内に石やたばこの幹が侵入することを防止できると共に、機体の外側からメンテナンス作業や清掃作業を行うことができるのでメンテナンス性が向上し、更に側板８５Ｒ（８５Ｌ）を省略することができるので、コストダウンを図ることができる。
【００５２】
なお、蓋体９４，９４の代わりに従来通り側板８５Ｒ、８５Ｌを用いると、コストは多少かかるが、蓋体９４，９４を用いる場合と同様の効果を奏することができると共に、機体の強度を強化することができる。
【００５３】
また、図１０には、本構成の他の実施形態によるたばこ抜根機の作業機付近の側面図を示し、側板８５Ｌ、８５Ｒとチェンケース２７間を繋ぐメインカバー４３ａを、側板８５Ｌ、８５Ｒの内側に内付けした構成を示す。
【００５４】
メインカバー４３ａは左右方向に延長したカバー角パイプ４３ａａとメインカバー側板４３ａｂからなり、上部カバー４３ｂと一体的にガイドカバー４３を構成している。スタンド取付板７２はメインカバー４３ａにボルトなどにより連結している。そして、カバー角パイプ４３ａａとメインカバー側板４３ａｂと支持フレーム４１、４１の取付部材であるボス８７は、補強部材８８の後部に溶着またはボルト等で固定し補強され支持されている。
【００５５】
そして、スタンド７１は、取付板７２を介して、上部が矢印Ｂ方向に回動自在にメインカバー４３ａに取り付けられているので、非作業時には作業機を安定して支えることができる。一方、作業時にはスタンド７１があると地面に引っ掛かり作業が妨げられるため、支点Ｄを回動中心として矢印Ｂ方向（上方向）に回動させて収納可能な構成である。
【００５６】
このように作業時にはスタンド７１を矢印Ｂ方向（上方向）に回動させて収納することで、スタンド７１が地面に引っ掛かり作業が妨げられるという不具合を防止できる。そして、スタンド７１をメインカバー４３ａに取り付けることにより、スタンド７１の構成が簡単となった。従来は、スタンドを装備しておらず、スタンドをわざわざ他の場所から持ってきて機体下方に取り付けて機体を支持させていたが、本構成を採用することで、その必要がなくなり、スタンドの設置と収納が簡便になる。
図１１には、本発明の他の実施形態によるたばこ抜根機の掘起し体２４にアタッチメントを取り付けた場合の作業機付近の背面図を示す。
図１１に示すように、掘起し体２４の回転軸２４ａを延長してチェンケース２７及び側板８５Ｌの両外側に突出させて、当該突出部分にアタッチメントを取付可能な構成としても良い。アタッチメントとしては、例えば除草爪（雑草耕耘用の爪）１０５を設けると良い。
【００５７】
除草爪１０５は先端部が内外側に反った形状であるので、圃場に生えた雑草を先端部分で掻き取ると共に、掘り返した土を雑草に覆い被せることができるので、雑草を圃場に埋めて除草処理することができる。
【００５８】
圃場には雑草が良く生えるので、たばこの幹を掘起し体２４により刈り取りながら雑草の除草処理も行うことができるため、効率的である。また、除草爪１０５の上方に除草爪用のカバー９９を設けると、作業者は除草爪１０５に触れないため安全である。また、障害物等の干渉から除草爪１０５を守ることができる。
【００５９】
図１２には、本発明の他の実施形態によるたばこ抜根機に、更に掘起し体２４’を追加した場合の作業機付近の背面図を示す。
図１２に示すように、チェンケース２７の外側に、さらに一条用の掘起し体２４’を追加できるような構成にしても良い。チェンケース２７の外側で伝動ケース８０と高さが同じ位置に、ベアリング１００ａと伝動軸８１のカバー１００ｂとからなるＵ字型のジョイント１００を取り付けて、追加した掘起し体２４’に伝達するための伝動軸６１を内部に有する伝動ケース６０をＵ字型のジョイント１００の空間部に挟んで固定している。
【００６０】
エンジンからの動力は伝動ケース８０内の伝動軸８１から、更に追加した掘起し体２４’の伝動ケース６０内の伝動軸６１に伝達されて、掘起し体２４’が駆動する。Ｕ字型のジョイント１００は更にボス１０６に連結したＬ字型のアーム１０２と溶接固定されている。
【００６１】
また、掘起し体２４と追加した掘起し体２４’の下部はユニバーサルジョイント１０４で連結している。そして、掘起し体２４上部のＵ字型のジョイント１００と掘起し体２４下部のユニバーサルジョイント１０４の左右位置を合わせると、追加した掘起し体２４’は、本体側の掘起し体２４の後方に折り畳んで収納可能となる。
【００６２】
本構成を採用することにより、トラクタの右側にさらに一条用の掘起し体２４’を並べて追加することで、２条分の抜根作業を行うことができ、作業効率が向上する。また、非作業時には掘起し体２４’を折り畳んでコンパクトな構成とし、作業場所や収納場所に移動できるため、作業性に優れる。
【００６３】
図１３には、本発明の他の実施形態によるたばこ抜根機の作業機付近の背面図を示す。
掘起し体２４の案内プレート２４ｄ間の幅を調整可能な構成にしても良い。案内プレート２４ｄに穴を開けた取付板２４ｇを溶着し、帯板２４ｃに複数開けた穴部に合わせてボルト２４ｈで固定している。そして、ボルト２４ｈを取り付ける穴部を変えることで、案内プレート２４ｄ間の幅を変えることができる。
【００６４】
掘起し体２４の案内プレート２４ｄは、残幹などが掘起し体２４の左右外側に排出することを防ぐために設けられている。すなわち、掘起し体２４により抜根されたたばこは、掘起し体２４の案内プレート２４ｄで仕切られた領域を通り後方に残幹と根が排出されるので、残幹などが掘起し体２４の左右外側に排出することが無くなり、作業後の残幹の回収作業にかかる時間を短縮できる。また、案内プレート２４ｄの幅が狭いと、帯板２４ｃによって掻き出される土のうち、案内プレート２４ｄよりも機体の左右外側の土は案内プレート２４ｄに当たらないので外に飛びやすくなるため、畦溝に植生する雑草に土をかけて埋没させることができ、抜根作業と同時に雑草の処理を行うことができる。
【００６５】
図１４には、本発明の他の実施形態によるたばこ抜根機の上部カバー４３ｂの下面に更に案内用カバー４３ｃを設けた場合の作業機付近の側面図を示し、図１５には、図１４の作業機付近の平面図を示す。
図１４に示すように、上部カバー４３ｂの下面に更に案内用カバー４３ｃを設けても良い。そして、案内用カバー４３ｃの形状は、図１５に示すように、平面視で前方幅を広く、後方幅を狭くした形状にすると良い。案内用カバー４３ｃは上部カバー４３ｂの下面に溶接固着し一体化すると、簡易な構成となる。
【００６６】
たばこ抜根機が、作物が植生している畝からずれても、案内用カバー４３ｃの前側が広いため、たばこの残幹を掘起し体２４に案内しやすく、また後側が狭いことによってたばこの残幹を機体後方に排出することができる。なお、たばこ抜根機がずれるとは、圃場面が凸凹している場合に、上下左右に振動して掘起し体２４がその動きに連動するという意味に加えて、畝が崩れている時などに、作物に対してほぼ直交していたたばこ抜根機が、直交状態からずれることがある場合なども意味する。
【００６７】
そして、案内用カバー４３ｃの前側部分は、図１４に示すように、残幹押さえ体２９から構成すると良い。案内用カバー４３ｃを残幹押さえ体２９の前側部分から構成することによって、残幹押さえ体２９により押し倒された残幹を案内用カバー４３ｃ内に案内しやすくなり、残幹の先端が上部カバー４３ｂと左右側板８５Ｌ，８５Ｒやチェンケース２７との間、左右側板８５Ｌ，８５Ｒやチェンケース２７と掘起し体２４との接続部などへ引っ掛かることがなくなるため、抜根作業性が良くなる。残幹の先端は細いので、部材と部材の隙間に入り込みやすいが、本構成により、そのような不具合を防止できる。
【００６８】
図１６には、本発明の他の実施形態によるたばこ抜根機の掘起し体２４の上方に更に補助掘起し体４４を設置した場合の作業機付近の側面図を示し、図１７には、補助掘起し体４４の変形例を示す図を示し、図１８には、図１６の作業機付近の背面図を示し、図１９には、図１８の補助掘起し体４４周辺の伝動機構図を示す。
【００６９】
図１６及び図１８に示すように、メインの掘起し体２４上方にメインの掘起し体２４とは逆方向に回転する補助掘起し体４４を設けた構成としても良い。
掘起し体２４により引き抜かれた残幹が、掘起し体２４と上部カバー４３ｂの間で詰まる場合がある。しかし、メインの掘起し体２４で抜根された根の後方への押し出しを補助掘起し体４４により補助することで、このような詰まりを防止できる。
【００７０】
図１６及び図１８に示す補助掘起し体４４は、メインの掘起し体２４よりも径が小さい点で異なるが、その他の例えば取付け構成や作動機構などはメインの掘起し体２４と同様であり、支持部材４４ｂ、帯板４４ｃ、案内プレート４４ｄ、補強板４４ｅ、取付プレート４４ｆなどを配置している。
【００７１】
また、補助掘起し体４４とメインの掘起し体２４の径を同じにしても、逆に補助掘起し体４４の径をメインの掘起し体２４の径よりも大きくしても良いが、図１６及び図１８に示すように、メインの掘起し体２４よりも補助掘起し体４４の径を小さくすると、作業機部分がスリムでコンパクトな構成になり、抜根機全体もコンパクトになる。また、経済的であり、且つ見た目にも良い。
【００７２】
チェンケース２７内の駆動スプロケット９２と従動スプロケット９０の間に更に補助掘起し体４４伝動用のスプロケット１１１（図１９）を設ける。そして、伝動ケース８０内の伝動軸８１から動力が伝達される従動スプロケット９０とスプロケット１１１間にチェン１１２を巻き回し、スプロケット１１１に軸１２２（図１９）の一端を取り付け、該軸１２２の他端をカウンタギア１２１ａに取り付ける。さらに、カウンタギア１２１ｂを補助掘起し体４４の駆動軸４４ａに装着し、該カウンタギア１２１ｂをカウンタギア１２１ａに噛み合わせる。
【００７３】
このように構成することによって、エンジンからの動力は伝動ケース内の伝動軸８１に伝達されて、更に伝動軸８１から補助掘起し体４４伝動用のスプロケット１１１、メインの掘起し体２４の駆動用スプロケット９２へと伝達される。補助掘起し体４４伝動用のスプロケット１１１はカウンタギア１２１ａを回転させ、該カウンタギア１２１ａに噛み合わせられたカウンタギア１２１ｂを逆回転させることによって、補助掘起し体４４を矢印Ｑ方向（図１６）に回転させる。また、下方のメインの掘起し体２４の駆動用スプロケット９２は矢印Ｐ方向に回転することで、メインの掘起し体２４上方の残幹を後方に押し出す構成である。
本構成を採用することにより、残幹や根部に付着している泥土を叩き落とせるため、残幹を早く乾燥させることができる。また、抜根機の後方に排出される残幹が抜根機に引っ掛かりそうになっても、回転する補助掘起し体４４が上方から残幹を後方に押し出すため、残幹がメインの掘起し体２４上に滞留することを防止でき、作業能率が向上する。
【００７４】
また、図１８に示すように、メインの掘起し体２４を回転させるチェンケース２７内上方に補助掘起し体４４伝動用のスプロケット１１１を設けることで、メインの掘起し体２４とは別に補助掘起し体４４用のチェンケースを設ける場合よりもコスト削減が図れる。
【００７５】
更に、補助掘起し体４４の径を変更可能な構成としても良い。例えば図１７（ａ）、図１７（ｂ）に示すように、補助掘起し体４４の帯板４４ｃを径が大きい位置（図１７（ａ））と径が小さい位置（図１７（ｂ））に付け替えると、補助掘起し体４４の径を変更できるので、たばこの幹の太さや葉の残り方で間隔を調整できるため、適用範囲が広がり好適である。
【００７６】
補助掘起し体４４の帯板４４ｃは、掘起し体２４の帯板２４ｃと同様な方法で補助掘起し体４４に取り付けられている。図１７に示す例では、図１６に示す三ツ股形状の取付プレート４４ｆを三角形状の取付プレート４４ｆに変えて、該三角形状の取付プレート４４ｆに取り付ける帯板４４ｃの位置を変えることで、補助掘起し体４４の径を変更できる。
【００７７】
また、メインの掘起し体２４と補助掘起し体４４の回転周速に回転差を設けても良い。メインの掘起し体２４と補助掘起し体４４の回転差を設けることで、土の振るい落としを確実にできる。
例えば、補助掘起し体４４の周速をメインの掘起し体２４よりも遅くすると、掘起し体２４が補助掘起し体４４よりも高速回転することにより、補助掘起し体４４が残幹を下方に押さえるように作用するので、掘起し体２４に残幹を確実に接触させることができ、残幹をより後方へ飛ばすことができる。周速の変速は、図１８や図１９に示すカウンタギア１２１ａとカウンタギア１２１ｂのギア比を調整することで行うことができる。
【００７８】
また、メインの掘起し体２４には案内プレート２４ｄを設けずに、補助掘起し体４４にのみ案内プレート４４ｄを設けることによって、掘起し体２４の径を小径にすることができる。
【００７９】
メインの掘起し体２４は作業時に圃場に接触するため、帯板２４ｃや案内プレート２４ｄの摩耗が早いが、補助掘起し体４４は圃場と接触することはないので、帯板４４ｃや案内プレート４４ｄは消耗しにくい。このため、掘起し装置２４から案内プレート２４ｄを取り外し、補助掘起し体４４の案内プレート４４ｄだけで残幹を案内するようにすると、案内プレート２４ｄの消耗がなくなり、メンテナンスの回数を軽減することができる。
【００８０】
また、図１８に示すように、メインの掘起し体２４と補助掘起し体４４の両方に案内プレート２４ｄ、４４ｄを設け、メインの掘起し体２４の案内プレート２４ｄの径Ｌ４を補助掘起し体４４の案内プレート４４ｄの径Ｌ３よりも広くしても良い。メインの掘起し体２４は、実際に抜根を行うため畝幅に合わせて広くする。そして、メインの掘起し体２４の上方にある補助掘起し体４４の案内プレート４４ｄの幅をメインの掘起し体２４の案内プレート２４ｄの幅よりも狭くすることで、メインの掘起し体２４により引き抜かれた残幹の位置が規制されて動きにくくなるため、残幹が四方にばらまかれることなく確実に後方に排出される。
したがって、より効率的に抜根作業を行うことができる。
【００８１】
更に、補助掘起し体４４の高さを矢印Ｓ方向（図１６）に上下調整可能とし、補助掘起し体４４とメインの掘起し体２４との隙間、間隔を変更可能な構成としても良い。チェンケース２７及び側板８５Ｌもしくは８５Ｒに回転軸４４ａの取付部を複数設けると、手作業で調整できる。
補助掘起し体４４の上下位置を変更するとカウンタギア１２１ａと１２１ｂの間隔が変わるが、例えば、カウンタギア１２１ａ、１２１ｂの径を変更するか、その間にアームに取り付けたテンションギアを噛ませることで調整できる。植物の上下の長さに合わせて補助掘起し体４４とメインの掘起し体２４との間隔を変更できるので、たばこに限らず色々な種類の植物に対応可能となる。
【００８２】
また、図１７（ｃ）に示すように、補助掘起し体４４の帯板４４ｃの回転径を異径としても良い。帯板４４ｃが軸心４４ａからの一つの同心円上にあるものが正常な形、帯板４４ｃのうち１枚でも一つの同心円上にないものがあれば異形（異径）となる。
【００８３】
例えば帯板４４ｃの配置を楕円形状にすると帯板４４ｃの回転軌跡は楕円形状を描くため植物の異なる位置に当たり、植物全体に帯板４４ｃが当たりやすくなる。帯板４４ｃを中心からの距離が等しい円周上に配置した場合は、植物の同じ位置にしか帯板４４ｃが当たらないため植物に付着した土を全てふるい落とすことが困難である。また、植物の種類や大きさによって帯板４４ｃの当たりやすい位置や当たりにくい位置が異なる。しかし、帯板４４ｃの回転径を異径とすることで、植物に付着した土の振るい落としが確実にでき、土をきれいにたたき落とすことができる。
【００８４】
図２０には、本発明の他の実施形態によるたばこ抜根機に排土板１１５を設けた場合の作業機付近の側面図を示し、図２１には、図２０の作業機付近の平面図を示す。
排土板１１５は、圃場上に掘り起こされて残存する残幹と根をかき集めるための部材である。排土板１１５を設けることで、掘起し体２４により抜根された抜根物を集め、効率よく掘起し体２４の左右外側に排出できる。排土板１１５は平面視で逆Ｖ字型をしており、掘起し体２４により抜根された抜根物は、排土板１１５上を矢印Ｔ方向へ流れて左右方向に排出される。排土板１１５の位置を掘起し体２４の下側後方とすれば、残幹の排出の邪魔にならない。また排土板１１５は側面視で前方先端部分を前下り傾斜状にすることで排土板１１５両脇の土を効率よく掻き分けることができる。
【００８５】
そして、たばこ抜根機のボス８７に等間隔に穴を開けた中空のステー１１６を溶着し、該ステー１１６の中空部に等間隔に穴を開けた前後位置調節アーム１１８を差し入れる。そして、ステー１１６及び前後位置調節アーム１１８の穴を合わせてボルト１２３で固定する。また、前後位置調節アーム１１８の一端にボス１１７を溶着し、該ボス１１７の中空部に高さ調節アーム１２０を差し入れ、該ボス１１７と高さ調節アーム１２０との穴を合わせてボルト１１９を取り付ける。
【００８６】
上記構成により、ステー１１６及び前後位置調節アーム１１８を合わせる穴を変更することによって、排土板１１５の前後位置を調節できる。また、高さ調節アーム１２０とボス１１７を合わせる穴を変更することによって、排土板１１５の高さを調節することができる。したがって、抜根機の車速や掘起し体２４の回転数に応じて排土板１１５を適切な位置に調整することができる。
【産業上の利用可能性】
【００８７】
本発明は、農業用のトラクタを汎用性あるものとすることができ、有用性が高い。
【図面の簡単な説明】
【００８８】
【図１】本発明の一実施形態によるたばこ抜根機を装置したトラクタの側面図である。
【図２】図１のトラクタの正面図である。
【図３】図１のたばこ抜根機の作業機付近の背面図である。
【図４】図１のたばこ抜根機の作業機付近の側面図である。
【図５】図１のたばこ抜根機の作業機付近の平面図である。
【図６】本発明の他の実施形態によるたばこ抜根機の作業機付近の側面図である。
【図７】図７（ａ）は、本発明の他の実施形態によるたばこ抜根機の掘起し体付近の背面図であり、図７（ｂ）は、図７（ａ）の掘起し体の概略斜視図である。
【図８】本構成の他の実施形態によるたばこ抜根機の作業機付近の背面図である。
【図９】本構成の他の実施形態によるたばこ抜根機の作業機付近の側面図である。
【図１０】本発明の他の実施形態によるたばこ抜根機の作業機付近の側面図である。
【図１１】本発明の他の実施形態によるたばこ抜根機の掘起し体にアタッチメントを取り付けた場合の作業機付近の背面図である。
【図１２】本発明の他の実施形態によるたばこ抜根機の掘起し体を追加した場合の作業機付近の背面図である。
【図１３】本発明の他の実施形態によるたばこ抜根機の掘起し体の案内プレートが調整可能である場合の作業機付近の側面図である。
【図１４】本発明の他の実施形態によるたばこ抜根機の上部カバーの下面に更に案内用カバーを設けた場合の作業機付近の側面図である。
【図１５】図１４の作業機付近の平面図である。
【図１６】本発明の他の実施形態によるたばこ抜根機の掘起し体の上方に更に補助掘起し体を設置した場合の作業機付近の側面図である。
【図１７】補助掘起し体の変形例を示す図である。
【図１８】図１６の作業機付近の背面図である。
【図１９】図１８の補助掘起し体周辺の伝動機構図である。
【図２０】本発明の他の実施形態によるたばこ抜根機に排土板を設けた場合の作業機付近の側面図である。
【図２１】図２０の作業機付近の平面図である。
【符号の説明】
【００８９】
２  前輪
３  後輪
４  主フレーム
６  伝動ケース
７  ボンネット
８  ハンドル
１０  ハンドルコラム
１１  運転席
１２  フェンダー
１３  走行変速用レバー
１５  バンパー
１６  平行リンク機構
１７  リンク昇降シリンダ
２０  トップリンク
２１  ロワーリンク
２２  連結フレーム
２３  ユニバーサルジョイント
２４、２４’  掘起し体
２４ａ  掘起し体回転軸心（回転軸）
２４ａａ  軸心カバー
２４ｂ  掘起し体支持部材
２４ｃ  帯板
２４ｄ  案内プレート
２４ｅ  補強板
２４ｆ  取付プレート
２４ｇ  取付板
２４ｈ  ボルト
２５  ＰＴＯ軸
２７  チェンケース
２９  残幹押さえ体
３０Ｌ，３０Ｒ  伝動軸
３６  ブラケット
３７  転輪
３７ａ  回転軸
４１  支持フレーム
４３  ガイドカバー
４３ａ  メインカバー
４３ａａ  メインカバーの角パイプ
４３ａｂ  メインカバーの側板
４３ｂ  上部カバー
４３ｂａ  前方部位のカバー
４３ｂｂ  後方部位のカバー
４３ｃ  案内用カバー
４４  補助掘起し体
４４ａ  回転軸
４４ｂ  支持部材
４４ｃ  帯板
４４ｄ  案内プレート
４４ｅ  補強板
４４ｆ  取付プレート
６０  伝動ケース
６１  伝動軸
７０  フレーム
７１  スタンド
７２  取付板
８０  伝動ケース
８０ａ  受け軸
８１  伝動軸
８２  左右支持プレート
８３  ボルト
８５Ｌ、８５Ｒ  左右側板
８７  ボス
８８  左右補強板
９０  従動スプロケット
９１  チェン
９２  駆動スプロケット
９３  ベアリング
９４  蓋体
９７  ベアリング
９８  軸
９９  カバー
１００  Ｕ字型ジョイント
１００ａ  ベアリング
１００ｂ  カバー
１０２  Ｌ字型のアーム
１０４  ユニバーサルジョイント
１０５  除草爪
１０６  ボス
１１１  スプロケット
１１２  チェン
１１５  排土板
１１６  ステー
１１７  ボス
１１８  アーム
１１９  ボルト
１２０  高さ調節アーム
１２１ａ、１２１ｂ  カウンタギア
１２２  軸
１２３  ボルト